(57)【特許請求の範囲】
【請求項１】
前面開口部を有する本体と、
該本体の側面側に設けられるヒンジと、
該ヒンジに軸支され前記前面開口部を開閉自在に閉塞する回転扉と、を備え、
前記回転扉は、
表面を構成する平板状の強化処理ガラスまたは樹脂である外面材と、
裏面を構成する内面材と、
前記外面材と前記内面材との間に充填される断熱材と、
前記外面材および前記内面材の四辺に取り付けられる樹脂製の枠状キャップと、
前記枠状キャップの側面を補強する金属製の補強材と、
前記ヒンジに軸支されるヒンジ軸受部品と、
前記枠状キャップの下辺の上側に取り付けられ、前記ヒンジ軸受部品を前記枠状キャップに固定する板金と、を備え、
前記補強材はＬ形状を有し、その短辺の長手方向端部に、その長辺と反対方向に突出した第一引掛部が形成され、
正面視して前記第一引掛部は前記板金とラップする位置に設けられ、
前記ラップする位置を側面視した状態において、前記第一引掛部は前記板金に挟み込まれる位置に配設されている
ことを特徴とする冷蔵庫。
【請求項２】
前記板金は、側面視してＵ形状であり、
前記第一引掛部は、前記板金の両端部の間に位置している
ことを特徴とする請求項１に記載の冷蔵庫。
【請求項３】
前記枠状キャップの下辺の一端に前記ヒンジ軸受部品を収納するスペース部を備え、
前記補強材は、その短辺および前記第一引掛部で前記スペース部を覆うように配置される
ことを特徴とする請求項１または２に記載の冷蔵庫。
【請求項４】
前記補強材は、短辺の短手方向端部に第二引掛部が形成されている
ことを特徴とする請求項１〜３のいずれか一項に記載の冷蔵庫。
【請求項５】
前記第二引掛部は、穴が形成されている
ことを特徴とする請求項４に記載の冷蔵庫。
【請求項６】
前記外面材の裏面に硬質材料を貼り付ける
ことを特徴とする請求項１〜５のいずれか一項に記載の冷蔵庫。
【請求項７】
前記外面材の裏面に加圧すると変色する素材を貼り付ける
ことを特徴とする請求項１〜６のいずれか一項に記載の冷蔵庫。
【発明の詳細な説明】
【技術分野】
【０００１】
本発明は、冷蔵庫に関し、特に前面開口部に設けられヒンジを軸として回転する回転扉の脱落抑制構造に関するものである。
【背景技術】
【０００２】
冷蔵庫の前面開口部に設けられる回転扉において、扉意匠となる外面材には印刷鋼板やラミネート鋼板などの薄鋼板が用いられている。そして、その鋼板面材が用いられた回転扉では、平板状の鋼板が側面視してほぼＣ形状に形成され、その上下を挟み込むようにして鋼板製の補強板が取り付けられた構成としている（たとえば、特許文献１参照）。
そして、その補強板にはヒンジ係合部が形成されており、そのヒンジ係合部で冷蔵庫の本体に設けられたヒンジに回転自在に支持される。
【０００３】
また、近年では意匠性を重視するため、扉意匠となる外面材には強化処理ガラスも多く用いられている。そのガラス面材が用いられた回転扉では、強化処理ガラスを鋼板のように側面視してＣ字形状に形成することができないため、平板状の強化処理ガラスの四辺を樹脂製キャップにて枠状に囲み、接着剤を使用して強化処理ガラスの四辺にキャップを接着させる構成としている。
そして、樹脂製キャップにヒンジ軸受部品を固定し、そのヒンジ軸受部品で冷蔵庫の本体に設けられたヒンジに回転自在に支持される。
【先行技術文献】
【特許文献】
【０００４】
【特許文献１】特開２００２−２１３８６５号公報
【発明の概要】
【発明が解決しようとする課題】
【０００５】
しかし、従来のガラス面材が用いられた回転扉では、強化処理が施されたガラスを用いているが、ガラスであるため、ある一定以上の強い衝撃を加えると細かい亀裂が入り、割れて破損してしまうことがあった。また、ヒンジ軸受部品の周辺に荷重が集中しているため、その周辺の樹脂製キャップが、経年劣化、耐環境性、強度の問題、クレージング、ヒートサイクルなどにより破損してしまうことがあった。そして、回転扉の部品（ガラス面材や樹脂製キャップ）が破損した状態でその開閉動作を行った場合、回転扉が本体から脱落してしまうという課題があった。
【０００６】
本発明は、以上のような課題を考慮してなされたもので、回転扉の部品が破損した状態で開閉動作を行った場合でも、回転扉の脱落を抑制することができる冷蔵庫を提供することを目的としている。
【課題を解決するための手段】
【０００７】
本発明に係る冷蔵庫は、前面開口部を有する本体と、該本体の側面側に設けられるヒンジと、該ヒンジに軸支され前記前面開口部を開閉自在に閉塞する回転扉と、を備え、前記回転扉は、表面を構成する平板状の強化処理ガラスまたは樹脂である外面材と、裏面を構成する内面材と、前記外面材と前記内面材との間に充填される断熱材と、前記外面材および前記内面材の四辺に取り付けられる樹脂製の枠状キャップと、前記枠状キャップの側面を補強する金属製の補強材と、前記ヒンジに軸支されるヒンジ軸受部品と、前記枠状キャップの下辺の上側に取り付けられ、前記ヒンジ軸受部品を前記枠状キャップに固定する板金と、を備え、前記補強材はＬ形状を有し、その短辺の長手方向端部に、その長辺と反対方向に突出した第一引掛部が形成され、正面視して前記第一引掛部は前記板金とラップする位置に設けられ、前記ラップする位置を側面視した状態において、前記第一引掛部は前記板金に挟み込まれる位置に配設されているものである。
【発明の効果】
【０００８】
本発明に係る冷蔵庫によれば、回転扉の部品が破損した状態で開閉動作を行った場合でも、回転扉が正面側に脱落しようとする際に補強材の引掛部が板金に接触して引っ掛かるようになっているため、回転扉が脱落するのを抑制することができる。
【図面の簡単な説明】
【０００９】
【図１】本発明の実施の形態１に係る冷蔵庫全体の斜視図である。
【図２】本発明の実施の形態１に係る冷蔵庫全体の正面図である。
【図３】図２の上ヒンジ周辺の拡大図である。
【図４】図２の下ヒンジ周辺の拡大図である。
【図５】本発明の実施の形態１に係る冷蔵庫に用いられる回転扉の分解図である。
【図６】本発明の実施の形態１に係る冷蔵庫に用いられる第二補強材の斜視図である。
【図７】本発明の実施の形態１に係る冷蔵庫の回転扉周辺を側面から見た縦断面図である。
【図８】本発明の実施の形態１に係る冷蔵庫の回転扉の斜視図である。
【図９】図８のＸ−Ｘ断面図である。
【図１０】図９のＹ−Ｙ断面図である。
【図１１】本発明の実施の形態２に係る冷蔵庫に用いられる第二補強材の斜視図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下で使用する「上」、「下」、「左」、「右」は、冷蔵庫を正面視した際の方向であるものとする。
【００１１】
実施の形態１．
図１は、本発明の実施の形態１に係る冷蔵庫全体の斜視図、図２は、本発明の実施の形態１に係る冷蔵庫全体の正面図、図３は、図２の上ヒンジ２周辺の拡大図、図４は、図２の下ヒンジ３周辺の拡大図である。
なお、図２では上ヒンジ２および下ヒンジ３周辺の一部を、図３では上ヒンジ２周辺の一部を、図４では下ヒンジ３周辺の一部を、それぞれ透過させて図示している。
【００１２】
本実施の形態１に係る冷蔵庫を構成する本体１は、図１および図２に示すように前面に開口部を有し、その前面開口部を開閉自在に閉塞する回転扉（右回転扉４および左回転扉５）が設けられている。また、本体１は、図２に示すように左右の両側面側の上下方向に上ヒンジ２および下ヒンジ３を有し、図３に示すように上ヒンジ２は上から下に向かって突出するように設けられており、図４に示すように下ヒンジ３は下から上に向かって突出するように設けられている。そして、図１および図２に示すように右側には右回転扉４が、左側には左回転扉５がそれぞれ上ヒンジ２および下ヒンジ３に回転自在に支持されている。
【００１３】
図５は、本発明の実施の形態１に係る冷蔵庫に用いられる回転扉の分解図、図６は、本発明の実施の形態１に係る冷蔵庫に用いられる第二補強材１１の斜視図、図７は、本発明の実施の形態１に係る冷蔵庫の回転扉周辺を側面から見た縦断面図である。
なお、図５〜図７では、右回転扉４の構造を示しているが、左回転扉５も右回転扉４と左右対称になっている以外は同様の構造である。
【００１４】
本実施の形態１に係る回転扉は、図５に示すように下キャップ６と、上キャップ７と、左キャップ８と、右キャップ９と、第一補強材１０と、第二補強材１１と、ヒンジ軸受部品１２と、外面材１３と、内面材１４と、Ｕ形状板金１６と、ヒンジストッパー１８とで構成されている。
【００１５】
下キャップ６、上キャップ７、左キャップ８、および右キャップ９は、それぞれ樹脂製であり、下キャップ６および上キャップ７は、長手方向の両端に爪部（図示せず）が設けられている。また、左キャップ８および右キャップ９は、長手方向の裏面、かつ、連結時に下キャップ６および上キャップ７の爪部と対向する位置に、溝部（図示せず）が設けられている。そして、下キャップ６および上キャップ７の爪部を左キャップ８および右キャップ９の溝部に係合することにより、上キャップ７、下キャップ６、右キャップ９、および左キャップ８を枠状に連結することができる。
【００１６】
また、下キャップ６の一端には、上方向に突出し下側が開口した、ヒンジ軸受部品１２を収納するスペース部６ａが設けられている。そして、そのスペース部６ａにヒンジ軸受部品１２を収納し、両端が同じ方向に曲げられ側面視してほぼＵ形状のＵ形状板金１６で上側から、ヒンジストッパー１８で下側から、下キャップ６およびヒンジ軸受部品１２を挟み込み、それらをネジ１５で固定する。
【００１７】
第一補強材１０は、平面視してほぼＣ形状に形成された金属製の補強材である。また、第二補強材１１は、図６に示すように側面視してほぼＬ字形状に形成された金属製の補強材であり、平面視してほぼＣ形状のＣ形状部材１１ａの一端部と、両端が互いに逆方向に曲げられ側面視してほぼＳ形状のＳ形状部材１１ｂの一端部とが連結され、構成されている。なお、Ｓ形状部材１１ｂの長手方向端部に引掛部１１ｂａが形成されている。そして、第一補強材１０は左キャップ８を補強するため、その裏面に取り付けられている。また、第二補強材１１は右キャップ９を補強するため、その裏面に取り付けられている。
【００１８】
なお、本実施の形態１では、Ｃ形状部材１１ａとＳ形状部材１１ｂとを連結して第二補強材１１としているが、それに限定されず、第二補強材１１は一体成形品であってもよい。
また、第二補強材１１は、本発明の「補強材」に相当し、引掛部１１ｂａは、本発明の「第一引掛部」に相当し、Ｓ形状部材１１ｂは、本発明の「補強材の短辺および第一引掛部」に相当する。
【００１９】
ここで、下キャップ６および上キャップ７の爪部を左キャップ８および右キャップ９の溝部に係合することにより、四辺からなる枠状にすることができるが、このとき第二補強材１１は、そのＳ形状部材１１ｂで下キャップ６のスペース部６ａ（の上面および左側面）を覆うように配置される。なお、本実施の形態１では、下キャップ６、上キャップ７、左キャップ８、および右キャップ９を連結して枠状のキャップとしているが、それに限定されず、枠状のキャップは一体成形品であってもよい。
【００２０】
枠状に連結されたキャップは、回転扉の表面を構成する平板状の強化処理ガラスである外面材１３の四辺、および回転扉の内面を構成する平板状の樹脂である内面材１４の四辺に粘着材（たとえば、両面テープや接着剤など）で接着されるが、このとき、外面材１３と内面材１４とで囲まれた空間内には、断熱材である発泡ウレタン１７が充填される。
【００２１】
なお、本実施の形態１では、回転扉の外面材１３を平板状の強化処理ガラスとしているが、それに限定されず、平板状の樹脂でもよい。
また、Ｕ形状板金１６は、本発明の「板金」に相当し、枠状に連結されたキャップは、本発明の「枠状キャップ」に相当する。
【００２２】
上記のようにして組み立てられた回転扉は、図７に示すようにヒンジ軸受部品１２で、本体１に設けられた下ヒンジ３に回転自在に支持される。また、上キャップ７には中空円筒状の支持部（図示せず）が形成されており、その支持部で上ヒンジ２に回転自在に支持される。
なお、回転扉は開閉自在に開閉するが、一定の角度以上開こうとするとヒンジストッパー１８が下ヒンジ３に接触するようになっており、それ以上開かないようになっている。
【００２３】
図８は、本発明の実施の形態１に係る冷蔵庫の回転扉の斜視図、図９は、図８のＸ−Ｘ断面図、図１０は、図９のＹ−Ｙ断面図である。
図８〜図１０に示すように、右キャップ９の裏面に取り付けられた第二補強材１１のＳ形状部材１１ｂの引掛部１１ｂａが、正面視してＵ形状板金１６とラップ（重複）する位置に設けられている。なお、組立時のバラツキを考慮して、図９に示す高さ（上下）方向の掛かり代（Ａ寸法）および横（左右）方向の掛かり代（Ｂ寸法）の寸法はともに大きく取ることが望ましく、確実にＳ形状部材１１ｂの引掛部１１ｂａがＵ形状板金１６とラップ（重複）する寸法とする。ただし、横（左右）方向の掛かり代（Ｂ寸法）について、Ｕ形状板金１６の一旦から中央までの長さであるＣ寸法よりも大きくする必要はない。
【００２４】
また、回転扉の内部に発泡ウレタン１７が充填された際、第二補強材１１のＳ形状部材１１ｂが発泡ウレタン１７に埋設される。そして、第二補強材１１のＳ形状部材１１ｂによりアンカー効果が得られ、右キャップ９が経年劣化、耐環境性、強度の問題、クレージング、ヒートサイクルなどにより破損した場合でも、右キャップ９が発泡ウレタン１７から剥離しにくくなり、図９に示す矢印Ｚ方向への強度が増す。なお、アンカー効果は、右キャップ９の上ヒンジ２周辺へＳ形状部材を設けることでも同様に得ることができる。
【００２５】
また、図１０に示すようにＳ形状部材１１ｂの引掛部１１ｂａがＵ形状板金１６の両端部の間に、直接または所定の隙間を介して挟まれている。つまり、第二補強材１１のＳ形状部材１１ｂの引掛部１１ｂａがＵ形状板金１６の内側に位置しており、引掛部１１ｂａがＵ形状板金１６とラップ（重複）している。そのため、万が一外面材１３である強化処理ガラスが割れた場合、回転扉が脱落しようとする際に第二補強材１１のＳ形状部材１１ｂの引掛部１１ｂａがＵ形状板金１６に接触して引っ掛かるようになっており、それにより回転扉が脱落するのを抑制することができる。
【００２６】
なお、本実施の形態１では、Ｕ形状板金１６を側面視してほぼＵ形状であるとしたが、その形状に限定されず、少なくとも回転扉が正面側に脱落しようとする際に第二補強材１１のＳ形状部材１１ｂの引掛部１１ｂａが接触して引っ掛かり、回転扉が脱落するのを抑制することができる形状であればよい。
【００２７】
また、本実施の形態１では、Ｓ形状部材１１ｂの引掛部１１ｂａがＵ形状板金１６の両端部の間に、直接または所定の隙間を介して挟まれる構成としたが、回転扉が脱落しようとする際に両者が引っ掛かり、回転扉が脱落するのを抑制することができるようになっていればよく、Ｓ形状部材１１ｂの引掛部に板金が挟まれるような構成としてもよい。
【００２８】
以上より、本実施の形態１に係る冷蔵庫によれば、第二補強材１１のＳ形状部材１１ｂが発泡ウレタン１７に埋設されており、第二補強材１１のＳ形状部材１１ｂによりアンカー効果が得られるため、右キャップ９が発泡ウレタン１７から剥離しにくくなっている。
また、第二補強材１１のＳ形状部材１１ｂの引掛部１１ｂａがＵ形状板金１６の内側に位置している。そのため、回転扉の部品が破損した状態で開閉動作を行った場合でも、回転扉が脱落しようとする際に第二補強材１１のＳ形状部材１１ｂの引掛部１１ｂａがＵ形状板金１６に接触して引っ掛かるようになっており、それにより回転扉が脱落するのを抑制することができる。
【００２９】
実施の形態２．
図１１は、本発明の実施の形態２に係る冷蔵庫に用いられる第二補強材１９の斜視図である。
以下、本実施の形態２について説明するが、実施の形態１と重複するものについては省略し、実施の形態１と同じ部分または相当する部分には同じ符号を付す。
本実施の形態２に係る第二補強材１９は、実施の形態１と同様にＣ形状部材１９ａとＳ形状部材１９ｂとが連結され、構成されているが、Ｓ形状部材１９ｂの長手方向端部に形成されている引掛部１９ｂａの他に、Ｓ形状部材１９ｂの短手方向端部にも引掛部１９ｂｂが設けられ、その中央部には穴１９ｂｃが形成されている。この引掛部１９ｂｂを設けることにより、右キャップ９と発泡ウレタン１７との密着性が増すため、剥離強度が増す構造とすることができる。
なお、引掛部１９ｂｂは、本発明の「第二引掛部」に相当する。
【００３０】
ただし、回転扉の内側の角部、特に下キャップ６のスペース部６ａは複雑な形状となるため、発泡ウレタン１７の流路が狭くなり、発泡ウレタン１７を充填時、Ｓ形状部材１９ｂの引掛部１９ｂｂが発泡ウレタン１７の流動を阻害する恐れがある。そのため、引掛部１９ｂｂに穴１９ｂｃを形成することにより、流動性を改善することができる。
なお、引掛部１９ｂａはＳ形状部材１９ｂの短手方向の片側の端部のみに形成してもよいし、両側の端部に形成してもよいが、両側の端部に形成した方が右キャップ９と発泡ウレタン１７との密着性がより増すため、剥離強度がより増す構造とすることができる。
【００３１】
実施の形態３．
以下、本実施の形態３について説明するが、実施の形態１と重複するものについては省略し、実施の形態１と同じ部分または相当する部分には同じ符号を付す。
本実施の形態３では、回転扉の外面材１３である強化処理ガラスの裏面に、金属板やそれと同等以上の強度を有するフィルムなどの硬質材料を貼り付ける。そうすることにより、強化処理ガラスが破損した場合でも、上記金属板またはフィルムがＵ形状板金１６に接触して引っ掛かるため、回転扉が脱落するのを抑制することができる。
【００３２】
実施の形態４．
以下、本実施の形態４について説明するが、実施の形態１と重複するものについては省略し、実施の形態１と同じ部分または相当する部分には同じ符号を付す。
本実施の形態４では、回転扉の外面材１３である強化処理ガラスの裏面に、加圧すると変色する感圧紙のような素材を貼り付ける。そうすることにより、強化処理ガラスに亀裂が入るような強い衝撃が加わったときにその箇所の色が変わるため、早期に回転扉の修理や交換の対処を取ることができる。
【符号の説明】
【００３３】
１  本体、２  上ヒンジ、３  下ヒンジ、４  左回転扉、５  右回転扉、６  下キャップ、６ａ  スペース部、７  上キャップ、８  左キャップ、９  右キャップ、１０  第一補強材、１１  第二補強材、１１ａ  Ｃ形状部材、１１ｂ  Ｓ形状部材、１１ｂａ  引掛部、１２  ヒンジ軸受部品、１３  外面材、１４  内面材、１５  ネジ、１６  Ｕ形状板金、１７  発泡ウレタン、１８  ヒンジストッパー、１９  第二補強部材、１９ａ  Ｃ形状部材、１９ｂ  Ｓ形状部材、１９ｂａ  引掛部、１９ｂｂ  引掛部、１９ｂｃ  穴。
【図１】
0006289281.tif 000002
【図２】
0006289281.tif 000003
【図３】
0006289281.tif 000004
【図４】
0006289281.tif 000005
【図５】
0006289281.tif 000006
【図６】
0006289281.tif 000007
【図７】
0006289281.tif 000008
【図８】
0006289281.tif 000009
【図９】
0006289281.tif 000010
【図１０】
0006289281.tif 000011
【図１１】
0006289281.tif 000012